(57)【要約】【課題】音の聞き分け又は聴き取りが困難な状態にあるユーザに、特定音が鳴っていることをより確実に認識させる。【解決手段】情報処理装置は、音響識別部と、報知制御部と、を備える。音響識別部は、音響取得部の取得音に含まれうる特定音を識別する。報知制御部は、特定音の変化に基づいて、報知部に所定の報知動作を行わせる。【選択図】図１
2015087446.tif 000002
【特許請求の範囲】
【請求項１】
音響取得部の取得音に含まれうる特定音を識別する音響識別部と、
前記特定音の変化に基づいて、報知部に所定の報知動作を行わせる報知制御部と、
を備える情報処理装置。
【請求項２】
前記特定音の音圧の変化率を検出する音響検出部をさらに備え、
前記特定音の変化は、前記変化率が正数の第１閾値以上及び負数の第２閾値以下のうちの少なくとも一方となることである請求項１に記載の情報処理装置。
【請求項３】
前記報知制御部は、前記報知部に報知音を出力させる音響出力制御部を含み、
前記音響出力制御部は、前記特定音の音圧に応じて、前記報知音の音量を経時的に変化させる請求項１又は請求項２に記載の情報処理装置。
【請求項４】
前記報知音の情報を格納するサーバ装置と通信するサーバ通信部をさらに備え、
前記音響出力制御部は、前記特定音の変化に基づいて、前記サーバ装置から前記報知音の情報を取得し、該報知音の情報に基づいて前記報知部に前記報知音を出力させる請求項３に記載の情報処理装置。
【請求項５】
前記音響取得部を有する外部装置から前記取得音の情報を受信する受信部をさらに備える請求項１〜請求項４のいずれかに記載の情報処理装置。
【請求項６】
日時を計時する計時部をさらに備え、
前記報知制御部は、現在日時が所定の日時に達すると、前記特定音の識別及び前記報知動作を行う処理を開始する請求項１〜請求項５のいずれかに記載の情報処理装置。
【請求項７】
周波数帯域を設定する帯域設定部をさらに備え、
前記音響識別部は、前記取得音のうちの前記周波数帯域内の音響成分に基づいて、前記特定音を識別する請求項１〜請求項６のいずれかに記載の情報処理装置。
【発明の詳細な説明】
【技術分野】
【０００１】
本発明は、特定音の音声認識及びユーザへの報知処理を行う情報処理装置に関する。
【背景技術】
【０００２】
従来、屋内にいる人に屋外の音を報知する手段として、ドアホン装置が知られている。たとえば、引用文献１のドアホン装置では、訪問者の発声音が屋外機に入力されると、その入力音から人の声の主要な周波数帯域内の音声が抽出される。抽出された音声が判定レベルを越えた状態で一定時間以上維持されると、発声音を含む音声が屋内機から出力される。
【先行技術文献】
【特許文献】
【０００３】
【特許文献１】特開平１０−２３３９７号公報
【発明の概要】
【発明が解決しようとする課題】
【０００４】
しかしながら、周囲が騒音又は雑音などで騒がしい状況であったり、屋内にいる人の耳が不自由であったりすると、訪問者の発声音の聞き分け又は聴き取りが難しいことがある。また、屋内にいる人が訪問者の発声音以外の特定音を聞きたい場合もある。たとえば、屋内にいる人が巡回するごみ収集車が放音する音楽などを聞きたい場合がある。ところが、周囲が騒がしかったり耳が不自由であったりすると、ごみ収集車の音楽が鳴っていることを認識できないことがある。
【０００５】
この点に関して、引用文献１では、屋外機の入力音に含まれる人の声の主要な周波数帯域内の音声は全て屋内機から出力される。そのため、上述のような音の聞き分け又は聴き取りが困難な状態にある人には、訪問者の発声音又はごみ収集車の音楽などの特定音が同じ周波数帯域内の雑音と混ざって聞こえるため、聞き分けが難しいことがある。或いは、特定音が雑音に掻き消されて聞き取れないこともある。
【０００６】
本発明は、このような状況を鑑みてなされたものであり、音の聞き分け又は聴き取りが困難な状態にあるユーザに、特定音が鳴っていることをより確実に認識させることができる情報処理装置を提供することを目的とする。
【課題を解決するための手段】
【０００７】
上記目的を達成するために、本発明の一の態様による情報処理装置は、音響取得部の取得音に含まれうる特定音を識別する音響識別部と、特定音の変化に基づいて、報知部に所定の報知動作を行わせる報知制御部と、を備える構成（第１の構成）とされる。
【０００８】
上記第１の構成によれば、音響取得部の取得音に含まれうる特定音が識別されると、この特定音の変化に基づいて、所定の報知動作が行われる。そのため、ユーザの周囲が騒音又は雑音などで騒がしい状況であったり、耳の不自由なユーザであったりしても、所定の報知動作によって、特定音が鳴っていることをユーザに報知することができる。従って、音の聞き分け又は聴き取りが困難な状態にあるユーザに、特定音が鳴っていることをより確実に認識させることができる。
【０００９】
また、上記第１の構成の情報処理装置において、特定音の音圧の変化率を検出する音響検出部をさらに備え、特定音の変化は、変化率が正数の第１閾値以上及び負数の第２閾値以下のうちの少なくとも一方となることである構成（第２の構成）としてもよい。
【００１０】
上記第２の構成によれば、特定音の音圧の増加率が正数の第１閾値以上となったり、音圧の減少率が負数の第２閾値以下になったりすると、所定の報知動作が行われる。従って、特定音が大きく変化すると、所定の報知動作によって、特定音が鳴っていることをユーザに報知することができる。また、一般に、音源が近づいたり離れたりすると、音源から放音される特定音の音圧は非線形に増加又は減少する。よって、特定音の音圧の変化率に基づく所定の報知動作により、ユーザは、音源が接近又は遠退きつつあることも直感的に認識することができる。
【００１１】
また、上記第１又は第２の構成の情報処理装置において、報知制御部は、報知部に報知音を出力させる音響出力制御部を含み、音響出力制御部は、特定音の音圧に応じて、報知音の音量を経時的に変化させる構成（第３の構成）としてもよい。
【００１２】
上記第３の構成によれば、ユーザは、報知音によって、特定音が鳴っていることを認識することができる。また、特定音の音圧に応じて報知音の音量が経時的に変化するため、ユーザは、特定音を出力している音源の大まかな位置及び相対的な移動状況をより詳しく認識することができる。たとえば、ユーザは、報知音の音量が徐々に大きくなる場合、音源が近くに来つつあることを認識することができる。また、報知音の音量が徐々に小さくなる場合、音源が遠くに離れつつあることを認識することができる。
【００１３】
さらに、上記第３の構成の情報処理装置において、報知音の情報を格納するサーバ装置と通信するサーバ通信部をさらに備え、音響出力制御部は、特定音の変化に基づいて、サーバ装置から報知音の情報を取得し、該報知音の情報に基づいて報知部に報知音を出力させる構成（第４の構成）としてもよい。
【００１４】
上記第４の構成によれば、サーバ装置に格納された報知音の情報に基づいて、報知音を出力させることができる。従って、サーバ装置に音声及び音楽などの情報を登録しておけば、報知音として、所望の音声又は音楽などを出力させることができる。
【００１５】
また、上記第１〜第４の構成のうちのいずれかの情報処理装置において、音響取得部を有する外部装置から取得音の情報を受信する受信部をさらに備える構成（第５の構成）としてもよい。
【００１６】
上記第５の構成によれば、取得音を外部装置で取得できるため、情報処理装置から離れた任意の場所（たとえば屋外）の周囲の環境音を取得音として取得することができる。従って、たとえば、特定音を取得し易い場所に外部装置を設置することにより、特定音が鳴っていることをより正確にユーザに報知することができる。
【００１７】
また、上記第１〜第５の構成のうちのいずれかの情報処理装置において、日時を計時する計時部をさらに備え、報知制御部は、現在日時が所定の日時に達すると、特定音の識別及び報知動作を行う処理を開始する構成（第６の構成）としてもよい。
【００１８】
上記第６の構成によれば、現在日時が所定の日時に達すると、特定音の識別及び報知動作を行う機能を有効に動作させて、特定音が鳴っていることをユーザに報知することができる。従って、この機能を常時起動しておく必要が無いため、不要な電力消費を抑制して、省エネルギー化することができる。この構成は、たとえば、特定音が鳴る日時を含む時間帯が予めわかっている場合などで特に有効である。
【００１９】
また、上記第１〜第６の構成のうちのいずれかの情報処理装置において、周波数帯域を設定する帯域設定部をさらに備え、音響識別部は、取得音のうちの周波数帯域内の音響成分に基づいて、特定音を識別する構成（第７の構成）としてもよい。
【００２０】
上記第７の構成によれば、特定音を識別するための取得音の音響成分の周波数帯域を設定することができる。従って、たとえば、特定音の主要な周波数帯域に応じて、音響成分の周波数帯域を設定することもできる。よって、特定音の識別精度を向上させたり、特定音の識別処理に伴う情報処理装置の負荷を軽減したりすることができる。
【発明の効果】
【００２１】
本発明によれば、音の聞き分け又は聴き取りが困難な状態にあるユーザに、特定音が鳴っていることをより確実に認識させることができる情報処理装置を提供できる。
【図面の簡単な説明】
【００２２】
【図１】第１実施形態に係るタブレット端末の周囲の環境を示す模式図である。
【図２】特定音信号の波形図の一例である。
【図３】第１実施形態に係るタブレット端末の構成を示すブロック図である。
【図４】第１実施形態での音響認識及び報知処理を説明するためのフローチャートである。
【図５】第１実施形態の変形例に係るタブレット端末の構成を示すブロック図である。
【図６】第１実施形態の変形例での音響認識及び報知処理を説明するためのフローチャートである。
【図７】第２実施形態に係るタブレット端末の周囲の環境を示す模式図である。
【図８】第２実施形態に係るタブレット端末及びインタホン装置の構成を示すブロック図である。
【図９】第２実施形態での音響認識及び報知処理を説明するためのフローチャートである。
【図１０】第３実施形態に係るタブレット端末及びインタホン装置の構成を示すブロック図である。
【発明を実施するための形態】
【００２３】
以下に、図面を参照して、本発明の実施形態を説明する。
＜第１実施形態＞
【００２４】
図１は、第１実施形態に係るタブレット端末の周囲の環境を示す模式図である。タブレット端末１は、ユーザが必要とする情報（たとえば、ごみ収集車３００が近くに来ていること）をユーザに報知する機能を有する情報処理装置であり、建物Ｂの屋内に配置されている。屋外では、ごみ収集車３００が、ごみの回収を知らせる音楽Ｓ０を放音しながら、建物Ｂの近くを比較的ゆっくりと走っている。
【００２５】
タブレット端末１は、自身の周囲の音Ｓ１を取得音としてマイクロホン１１で取得し、その取得音Ｓ１に含まれ得る音楽Ｓ０を特定音として識別する。たとえば、図１のようにごみ収集車３００が建物Ｂの近くにいる場合、取得音Ｓ１は、ゴミ収集車３００から放音される音楽Ｓ０、屋内及び屋外の雑音などを含んでいる。タブレット端末１は、マイクロホン１１の取得音Ｓ１のうち、所定の周波数帯域内の音響成分を抽出音としてサンプリングし、その抽出音に音楽Ｓ０が含まれているか否かを判定する。音楽Ｓ０が含まれていると判定した場合、タブレット端末１は、音楽Ｓ０が識別できたと判断し、抽出音から音楽Ｓ０を抽出する。そして、音楽Ｓ０の変化を検出し、その検出結果に基づく所定の報知動作により、ごみ収集車３００が建物Ｂの近くに来ていることをユーザに報知する。
【００２６】
図２は、特定音信号の波形図の一例である。図２において、特定音信号の振幅の大きさは音楽Ｓ０（特定音）の音圧レベルに対応している。ごみ収集車３００が建物Ｂに接近しつつ移動している場合、図２に示すように、音楽Ｓ０の音圧レベルは徐々に大きくなっていく。また、ごみ収集車３００が建物Ｂから遠退きつつ移動している場合、音楽Ｓ０の音圧レベルは徐々に小さくなっていく。このような音楽Ｓ０の音圧レベルの変化をトリガーにして、タブレット端末１はユーザに報知動作を行う。
【００２７】
次に、タブレット端末１の構成について説明する。図３は、第１実施形態に係るタブレット端末の構成を示すブロック図である。タブレット端末１は、マイクロホン１１と、スピーカ１２と、ＬＣＤ（液晶ディスプレイ）１３と、入力部１４と、ネットワークＩ／Ｆ１５と、記憶部１６と、ＣＰＵ１７と、を備えている。
【００２８】
マイクロホン１１は、タブレット端末１の周囲の環境音を取得音Ｓ１として取得する音響取得部であり、取得音Ｓ１の情報をＣＰＵ１７に出力する。なお、以下では、取得音Ｓ１の情報を取得音情報と呼ぶ。
【００２９】
スピーカ１２は、ＣＰＵ１７から出力される情報に基づく音を出力する音響出力部である。また、ＬＣＤ１３は、所定の通知、画像、及び動画などを表示する表示部である。なお、スピーカ１２及びＬＣＤ１３は、ユーザに対して所定の報知動作を行う報知部としても機能している。
【００３０】
入力部１４は、操作キーを含んで構成され、ユーザ入力を受け付ける。そのユーザ入力に応じた制御情報はＣＰＵ１７に出力される。なお、入力部１４は、タッチパネル機能を有するＬＣＤ１３で実現される仮想の入力部（たとえば仮想キーボードなど）であってもよい。
【００３１】
ネットワークＩ／Ｆ１５は、外部装置と通信する通信部である。たとえば、ネットワークＩ／Ｆ１５は、サーバ通信部として機能し、ネットワーク４００を介して、所定の音楽及び音声などの情報を格納するサーバ装置５００と接続される。
【００３２】
記憶部１６は、たとえばＲＯＭ（Read Only Memory）、ＨＤＤ（Hard Disk Drive）などの不揮発性の記憶媒体であり、ＣＰＵ１７が用いる様々なプログラム及び情報を格納している。また、記憶部１６は、後述する音響認識及び報知処理で用いられる音楽Ｓ０（特定音）などの情報、及び抽出帯域情報なども格納している。なお、以下では、音楽Ｓ０の情報を特定音情報と呼ぶ。この特定音情報には、たとえば、マイクロホン１１を用いて記録される任意の音の情報、タブレット端末１に既存の任意の音の情報、又は外部装置（サーバ装置５００など）から取得した音の情報などを設定することができる。また、抽出帯域情報には、取得音Ｓ１から抽出音として抽出する音響成分のサンプリング周波数帯域が設定されている。特定音情報及び抽出帯域情報は、たとえば工場出荷前に予め設定される情報であってもよいし、任意の時点でユーザにより設定される任意の音の情報であってもよい。
【００３３】
ＣＰＵ１７は、記憶部１６に格納されたプログラム及び情報などを用いて、タブレット端末１の各構成要素を制御する制御部である。ＣＰＵ１７は、機能要素として、帯域設定部１７１と、音響識別部１７２と、音響抽出部１７３と、音響検出部１７４と、音響出力制御部１７５と、表示制御部１７６と、を含んで構成されている。
【００３４】
帯域設定部１７１は、抽出帯域情報に基づいて、抽出音のサンプリング周波数帯域を設定する。また、帯域設定部１７１は、ユーザ入力に基づいて、サンプリング周波数帯域が設定される抽出帯域情報を生成又は編集することもできる。この帯域設定部１７１により、ユーザは、音楽Ｓ０の識別及び抽出を行うための抽出音（取得音Ｓ１の音響成分）のサンプリング周波数帯域を任意に設定することができる。従って、たとえば、音楽Ｓ０の主要な周波数帯域に応じてサンプリング周波数帯域を設定することもできるので、音楽Ｓ０とは無関係な周波数帯域の音を除去した抽出音に基づいて音楽Ｓ０の識別及び抽出を行うことができる。よって、音楽Ｓ０の識別精度を向上させたり、音楽Ｓ０の識別及び抽出処理に伴うタブレット端末１の負荷を軽減したりすることができる。
【００３５】
音響識別部１７２は、所定の音の音響成分を識別する。たとえば、音響識別部１７２は、ごみ収集車３００から放音される音楽Ｓ０が抽出音に含まれているか否かを判定することにより、取得音Ｓ１に含まれうる音楽Ｓ０を識別する。
【００３６】
音響抽出部１７３は、所定の音からその音響成分を抽出する。たとえば、音響抽出部１７３は、取得音Ｓ１のうち、帯域設定部１７１で設定されたサンプリング周波数帯域内の音響成分（抽出音）を取得音Ｓ１から抽出する。また、音響抽出部１７３は、音響識別部１７２により音楽Ｓ０が取得音Ｓ１に含まれていると判定されると、抽出帯域情報に基づいて抽出音から音楽Ｓ０を抽出する。
【００３７】
音響検出部１７４は、音響抽出部１７３で抽出された音の状態（音圧レベル、周波数スペクトルなど）及びその変化などを検出する。音響検出部１７４は、たとえば、音楽Ｓ０の音圧レベル、その経時的な変化率、及び、所定期間毎の音圧レベルの変化量などを検出する。
【００３８】
音響出力制御部１７５は、スピーカ１２の音響出力を制御する。音響出力制御部１７５は、音響検出部１７４で検出された音楽Ｓ０の変化に基づいて、たとえば、所定の報知音の情報をサーバ装置５００から取得したり、スピーカ１２に所定の音響出力動作を行わせたりする。なお、以下では、報知音の情報を報知音情報と呼ぶ。また、音響出力制御部１７５はスピーカ１２の音量調節も行う。たとえば、音響出力制御部１７５は、音楽Ｓ０の音圧レベルに応じてスピーカ１２の出力音量を経時的に変化させたり、ユーザ入力などに基づいてスピーカ１２の出力音量を調節したりする。
【００３９】
表示制御部１７６は、ＬＣＤ１３の表示を制御する。表示制御部１７６は、音響検出部１７４で検出された音楽Ｓ０の変化に基づいて、ＬＣＤ１３に所定の表示を行わせる。また、表示制御部１７６は、音楽Ｓ０の変化に基づいて、ＬＣＤ１３に所定の表示を行わせるための情報をサーバ装置５００から取得することもできる。
【００４０】
なお、音響出力制御部１７５及び表示制御部１７６は、報知部（たとえばスピーカ１２及びＬＣＤ１３）に所定の報知動作を行わせる報知制御部としても機能している。
【００４１】
次に、タブレット端末１による音楽Ｓ０の音響認識及び報知処理の一例について説明する。図４は、第１実施形態での音響認識及び報知処理を説明するためのフローチャートである。なお、図４の音響認識及び報知処理は、タブレット端末１の起動（電源のＯＮ）、又は、音響認識及び報知処理用のアプリケーションの起動、若しくは、該処理の開始を示すユーザ入力などによって開始される。また、この処理は、タブレット端末１の起動停止（電源のＯＦＦ）、又は、音響認識及び報知処理用のアプリケーションの終了、若しくは、該処理の終了を示すユーザ入力などによって終了される。
【００４２】
まず、タブレット端末１の周囲の音Ｓ１がマイクロホン１１で取得され（ステップＳ１０１）、取得音情報がマイクロホン１１からＣＰＵ１７に出力される。ＣＰＵ１７では、音響抽出部１７２により取得音Ｓ１から抽出音が抽出される（ステップＳ１１０）。なお、この抽出音は、取得音Ｓ１のうち、帯域設定部１７１で設定されたサンプリング周波数帯域内の音響成分である。
【００４３】
次に、音響識別部１７２により、特定音情報に基づいて、音楽Ｓ０が抽出音に含まれるか否かが判定される（ステップＳ１１１）。音楽Ｓ０が含まれないと判定されると（ステップＳ１１１でＮＯ）、音響認識及び報知処理はステップＳ１０１に戻される。
【００４４】
音楽Ｓ０が含まれると判定されると（ステップＳ１１１でＹＥＳ）、音響抽出部１７３により、抽出音から音楽Ｓ０が抽出される（ステップＳ１１２）。そして、音響検出部１７４により音楽Ｓ０の音圧レベルが検出され（ステップＳ１１３）、その音圧レベルが音圧閾値以上であるか否かが判定される（ステップＳ１１４）。音楽Ｓ０の音圧レベルが音圧閾値未満であると判定されると（ステップＳ１１４でＮＯ）、ごみ収集車３００が建物Ｂの近くに来ていないと判断される。そして、音響認識及び報知処理はステップＳ１０１に戻される。
【００４５】
音楽Ｓ０の音圧レベルが音圧閾値以上であると判定されると（ステップＳ１１４でＹＥＳ）、ごみ収集車３００が建物Ｂの近くに来ていると判断される。そして、音響検出部１７４により、音楽Ｓ０の音圧レベルの変化率が検出され（ステップＳ１１５）、その変化率が正数の第１閾値以上であるか否かが判定される（ステップＳ１１６）。
【００４６】
変化率が第１閾値以上であると判定されると（ステップＳ１１６でＹＥＳ）、ごみ収集車３００が建物Ｂに接近しつつあると判断される。そして、第１報知動作により、ごみ収集車３００の接近がユーザに報知される。たとえば、ごみ収集車３００の接近を示す所定の第１表示がＬＣＤ１３で行われる（ステップＳ１１７）。この第１表示では、たとえば「ごみ収集車が来ました！」という通知画面（図１参照）、或いは、ごみ収集車の接近を連想させる所定の画像又は動画などが表示される。さらに、増大する音楽Ｓ０の音圧レベルに応じた音量で、第１報知音がスピーカ１２から出力される（ステップＳ１１８）。そのため、ごみ収集車３００が建物Ｂに近づけば近づくほど、第１報知音の音量が大きくなる。従って、ユーザは、経時的に増大する第１報知音の音量により、ごみ収集車３００の接近と、その大まかな位置（建物Ｂからどの程度離れた位置にいるか）と、を直感的に把握することができる。そして、音響認識及び報知処理はステップＳ１０１に戻される。
【００４７】
変化率が第１閾値未満であると判定されると（ステップＳ１１６でＮＯ）、変化率が負数の第２閾値以下であるか否かが判定される（ステップＳ１１９）。変化率が第２閾値以下であると判定されると（ステップＳ１１９でＹＥＳ）、ごみ収集車３００が建物Ｂから遠退きつつあると判断される。そして、第２報知動作により、ごみ収集車３００が遠退いていることがユーザに報知される。たとえば、ごみ収集車３００が遠退いていることを示す所定の第２表示がＬＣＤ１３で行われる（ステップＳ１２０）。この第２表示では、たとえば「ごみ収集車が離れていきます」という通知画面、或いは、ごみ収集車が遠退いていることを連想させる所定の画像又は動画などが表示される。さらに、減少する音楽Ｓ０の音圧レベルに応じた音量で、第２報知音がスピーカ１２から出力される（ステップＳ１２１）。そのため、ごみ収集車３００が建物Ｂから離れれば離れるほど、第２報知音の音量が小さくなる。従って、ユーザは、経時的に減少する第２報知音により、ごみ収集車３００が遠退いていることと、その大まかな位置（建物Ｂからどの程度離れた位置にいるか）と、を直感的に把握することができる。そして、音響認識及び報知処理はステップＳ１０１に戻される。
【００４８】
変化率が第２閾値より大きいと判定されると（ステップＳ１１９でＮＯ）、ごみ収集車３００は近くに来ているが移動していないと判断される。そして、第３報知動作により、ごみ収集車３００が停車状態であることがユーザに報知される。たとえば、ごみ収集車３００の停車を示す所定の第３表示がＬＣＤ１３で行われる（ステップＳ１２２）。この第３表示では、たとえば「ごみ収集車は近くで停車しています」という通知画面、或いは、ごみ収集車の停車を連想させる所定の画像又は動画などが表示される。さらに、その直前の出力音量を維持した一定の音量で、第３報知音がスピーカ１２から出力される（ステップＳ１２３）。そのため、ユーザは、一定の音量を維持する第３報知音及びその音量により、ごみ収集車３００の停車と、その大まかな位置（ごみ収集車３００がどの程度離れた位置にいるか）と、を直感的に把握することができる。そして、音響認識及び報知処理はステップＳ１０１に戻される。
【００４９】
上記の音響認識及び報知処理では、第１〜第３報知動作の内容がそれぞれ異なっている。そのため、ごみ収集車３００の大まかな位置及び移動状態（接近、遠退き、及び、停止）をユーザに報知することができる。従って、ユーザは、必要な情報をより詳細に認識することができるので、報知内容により適した行動をとることが可能となる。
【００５０】
なお、上記の音響認識及び報知処理に限定されず、第２及び第３報知動作のうちの少なくとも一方は省略されていてもよい。このような構成は、ごみ収集車３００の位置及び移動状態などの詳細な情報をユーザが必要としない場合（たとえば単にごみ収集車３００が建物Ｂの近くに来ていることを知りたい場合など）に有効である。
【００５１】
また、上記の音響認識及び報知処理における各閾値（たとえば、音圧閾値、第１閾値、及び第２閾値など）は、たとえば、工場出荷前などで予め設定されていてもよいし、任意の時点でユーザ入力により設定されてもよい。
【００５２】
また、上記の音響認識及び報知処理における第１〜第３報知音はそれぞれ、取得音Ｓ１であってもよいし、音響抽出部１７３により抽出された抽出音又は音楽Ｓ０であってもよい。望ましくは、記憶部１６に格納された音情報、又は外部のサーバ装置５００から取得される報知音情報に基づく所定の音楽又は音声である。こうすれば、ユーザの好みに応じたより鮮明な音楽又は音声により、音楽Ｓ０が鳴っていることをユーザに報知して認識させることができる。
【００５３】
以上、第１実施形態について説明した。上述のように、第１実施形態に係るタブレット端末１は、音響識別部１７２と、音響出力制御部１７５及び表示制御部１７６（報知制御部）と、を備える情報処理装置である。音響識別部１７２は、マイクロホン１１の取得音Ｓ１に含まれうる音楽Ｓ０（特定音）を識別する。音響出力制御部１７５及び表示制御部１７６はそれぞれ、音楽Ｓ０の変化に基づいて、スピーカ１２及びＬＣＤ１３（報知部）に所定の報知動作を行わせる。
【００５４】
こうすれば、マイクロホン１１の取得音Ｓ１に含まれうる音楽Ｓ０が識別されると、この音楽Ｓ０の変化に基づいて、所定の報知動作が行われる。そのため、ユーザの周囲が騒音又は雑音などで騒がしい状況であったり、耳の不自由なユーザであったりしても、所定の報知動作によって、音楽Ｓ０が鳴っていることをユーザに報知することができる。従って、音の聞き分け又は聴き取りが困難な状態にあるユーザに、音楽Ｓ０が鳴っていることをより確実に認識させることができる。
【００５５】
また、第１実施形態に係るタブレット端末１は、音楽Ｓ０の音圧レベルの変化率を検出する音響検出部１７４をさらに備える。また、前述の音楽Ｓ０の変化は、音楽Ｓ０の音圧レベルの変化率が正数の第１閾値以上及び負数の第２閾値以下のうちの少なくとも一方となることである。こうすれば、音楽Ｓ０の音圧レベルの増加率が正数の第１閾値以上となったり、音圧レベルの減少率が負数の第２閾値以下になったりすると、所定の報知動作が行われる。従って、音楽Ｓ０が大きく変化すると、所定の報知動作によって、音楽Ｓ０が鳴っていることをユーザに報知することができる。また、一般に、ごみ収集車３００（音源）が近づいたり離れたりすると、ごみ収集車３００から放音される音楽Ｓ０の音圧レベルは非線形に増加又は減少する。よって、音楽Ｓ０の音圧レベルの変化率に基づく所定の報知動作により、ユーザは、ごみ収集車３００が接近又は遠退きつつあることも認識することができる。
【００５６】
また、第１実施形態に係るタブレット端末１では、報知制御部に含まれる音響出力制御部１７５がスピーカ１２に第１〜第３報知音のうちのいずれかの報知音を出力させる。また、音響出力制御部１７５は、音楽Ｓ０の音圧レベルに応じて、その報知音の音量を経時的に変化させる。こうすれば、ユーザは、報知音によって、音楽Ｓ０が鳴っていることを認識することができる。また、音楽Ｓ０の音圧レベルに応じて報知音の音量が経時的に変化するため、ユーザは、音楽Ｓ０を出力しているごみ収集車３００の大まかな位置及び相対的な移動状況をより詳しく認識することができる。たとえば、ユーザは、報知音の音量が徐々に大きくなる場合、ごみ収集車３００が近くに来つつあることを認識することができる。また、報知音の音量が徐々に小さくなる場合、ごみ収集車３００が遠くに離れつつあることを認識することができる。
【００５７】
また、第１実施形態に係るタブレット端末１は、報知音情報を格納するサーバ装置５００と通信するネットワークＩ／Ｆ１５をさらに備える。音響出力制御部１７５は、音楽Ｓ０の変化に基づいて、サーバ装置５００から報知音情報を取得し、該報知音情報に基づいてスピーカ１２に第１〜第３報知音のうちのいずれかの報知音を出力させる。こうすれば、サーバ装置５００に格納された報知音情報に基づいて、第１〜第３報知音のうちのいずれかの報知音を出力させることができる。従って、サーバ装置５００に音声及び音楽などの情報を登録しておけば、報知音として、所望の音声又は音楽などを出力させることができる。
【００５８】
また、第１実施形態に係るタブレット端末１は、サンプリング周波数帯域を設定する帯域設定部１７１をさらに備える。また、音響識別部１７２は、取得音Ｓ１のうちのサンプリング周波数帯域内の音響成分（抽出音）に基づいて、音楽Ｓ０を識別する。こうすれば、音楽Ｓ０を識別するための抽出音のサンプリング周波数帯域を設定することができる。従って、たとえば、音楽Ｓ０の主要な周波数帯域に応じて、抽出音のサンプリング周波数帯域を設定することもできる。よって、音楽Ｓ０の識別精度を向上させたり、音楽Ｓ０の識別処理に伴うタブレット端末１の負荷を軽減したりすることができる。
＜第１実施形態の変形例＞
【００５９】
なお、通常、ごみ収集車３００は予め定められた周期で巡回するため、ユーザはごみ収集車３００が建物Ｂの近くに来る日時及び時間帯を概ね特定できる。このような場合、タブレット端末１による音楽Ｓ０の音響認識及び報知処理は、常時起動している必要はなく、ごみ収集車３００が近くに来る日時を含む所定の時間帯で起動していればよい。
【００６０】
図５は、第１実施形態の変形例に係るタブレット端末の構成を示すブロック図である。タブレット端末１はタイマ１８をさらに備えている。このタイマ１８は、日時を計時する計時部であり、たとえば、現在日時を計時したり、所定の時点からの経過時間などを計時したりする。
【００６１】
また、記憶部１６は、音響認識及び報知処理の開始日時及び停止日時（又は該処理の起動期間）を示す起動期間情報をさらに格納している。なお、起動期間情報は、たとえば、工場出荷前などで予め設定されていてもよいし、任意の時点でユーザ入力により設定されてもよい。また、起動期間情報には、所定の日時における所定の時間帯が設定されていてもよいし、所定の周期毎（たとえば、日毎、週毎、月毎など）の所定の時間帯が設定されていてもよい。
【００６２】
音響出力制御部１７５は、起動期間情報に基づいて、タブレット端末１の音響認識及び報知処理を起動する。たとえば、音響出力制御部１７５は、現在日時が開始日時に達すると、マイクロホン１１の機能を有効にしたり音響識別部１７２などを起動したりなどして、音響認識及び報知処理を開始する。また、現在日時が所定の停止日時に達すると、マイクロホン１１の機能を無効にしたり音響識別部１７２を停止したりなどして、音響認識及び報知処理を停止する。
【００６３】
図６は、第１実施形態の変形例での音響認識及び報知処理を説明するためのフローチャートである。なお、以下では、第１実施形態での音響認識及び報知処理（図４参照）と同様の動作の説明は省略する。
【００６４】
まず、起動期間情報に基づいて、現在日時が音響認識及び報知処理の開始日時に達しているか否かが判定される（ステップＳ１０１ａ）。現在日時が開始日時に達していると判定されると（ステップＳ１０１ａでＹＥＳ）、タブレット端末１の周囲の音Ｓ１がマイクロホン１１で取得される（ステップＳ１０１ｂ）。そして、ステップＳ１１０〜Ｓ１２３の処理が実行される。
【００６５】
また、ステップＳ１１８、Ｓ１２１、Ｓ１２３のいずれかが実行された後、起動期間情報に基づいて、現在日時が音響認識及び報知処理の停止日時に達しているか否かが判定される（ステップＳ１２４）。或いは、開始日時から現在日時までの経過時間が起動期間情報に設定された起動期間を越えているか否かが判定されてもよい。
【００６６】
現在日時が停止日時に達していないと判定されると（ステップＳ１２４でＮＯ）、音響認識及び報知処理はステップＳ１０１ｂに戻される。
【００６７】
一方、現在日時が停止日時に達していると判定されると（ステップＳ１２４でＹＥＳ）、マイクロホン１１での周囲の音Ｓ１の取得が停止される（ステップＳ１２５）。そして、音響認識及び報知処理はステップＳ１０１ａに戻される。
【００６８】
以上、第１実施形態の変形例について説明した。上述のように、第１実施形態の変形例に係るタブレット端末１は、日時を計時するタイマ１８をさらに備える。また、音響出力制御部１７５及び表示制御部１７６は、現在日時が所定の開始日時に達すると、音楽Ｓ０の音響認識及び報知処理を開始する。こうすれば、現在日時が開始日時に達すると、音楽Ｓ０の識別及び報知動作を行う機能を有効に動作させて、音楽Ｓ０が鳴っていることをユーザに報知することができる。従って、この機能を常時起動しておく必要が無いため、不要な電力消費を抑制して、省エネルギー化することができる。この構成は、たとえば上述のように、音楽Ｓ０が鳴る日時を含む時間帯が予めわかっている場合などで特に有効である。
＜第２実施形態＞
【００６９】
次に、第２実施形態について説明する。図７は、第２実施形態に係るタブレット端末の周囲の環境を示す模式図である。第２実施形態では、建物Ｂの外部に、外部マイクロホン２１を備えるインタホン装置２が設置されている。このインタホン装置２は、外部マイクロホン２１により、建物Ｂの周囲の環境音を取得音Ｓ１として取得する。タブレット端末１は、その取得音情報を無線通信Ｒにより受信して、音楽Ｓ０（特定音）の音響認識及び報知処理を行う。以下では、第２実施形態について、第１実施形態と異なる構成を説明する。また、第１実施形態と同様の構成要素には同じ符合を付し、その説明は省略する。
【００７０】
インタホン装置２は、自身の周囲の環境音を取得音Ｓ１として外部マイクロホン２１で取得する外部装置であり、無線通信Ｒによって取得音情報をタブレット端末１に送信する。この無線通信Ｒには、たとえば、ＤＥＣＴ（Digital Enhanced Cordless Telecommunications）などのデジタルコードレス電話規格、無線ＬＡＮを用いることができる。また、インタホン装置２は、取得音Ｓ１を取得する機能のほかに、訪問者の呼び出し音及び発声音をユーザに通知するドアホン装置としての機能も有している。
【００７１】
タブレット端末１は、取得音情報に基づいて、取得音Ｓ１に含まれ得る音楽Ｓ０を特定音として識別する情報処理装置である。たとえば、タブレット端末１は、取得音Ｓ１のうち、所定の周波数帯域内の音響成分を抽出音としてサンプリングし、その抽出音に音楽Ｓ０が含まれているか否かを判定する。音楽Ｓ０が含まれている場合には、タブレット端末１は、音楽Ｓ０が識別できたと判断し、抽出音から音楽Ｓ０を抽出する。そして、音楽Ｓ０の変化を検出し、その検出結果に基づく所定の報知動作により、ごみ収集車３００が建物Ｂの近くに来ていることをユーザに報知する。
【００７２】
図８は、第２実施形態に係るタブレット端末及びインタホン装置の構成を示すブロック図である。図８に示すように、タブレット端末１は、マイクロホン１１、スピーカ１２、ＬＣＤ１３、入力部１４、ネットワークＩ／Ｆ１５、記憶部１６、及びＣＰＵ１７の他に、端末無線通信部１９をさらに備えている。この端末無線通信部１９は、無線通信Ｒを介して、インタホン装置２と通信する。この端末無線通信部１９は、インタホン装置２が取得した情報（たとえば取得音情報）を受信する受信部としても機能している。また、端末無線通信部１９は、制御情報などをインタホン装置２に送信する送信部としても機能している。
【００７３】
インタホン装置２は、外部マイクロホン２１と、外部スピーカ２２と、メモリ２６と、外部制御部２７と、外部無線通信部２９と、を備えている。
【００７４】
外部マイクロホン２１はインタホン装置２側の音響取得部である。外部マイクロホン２１は、建物Ｂの外部の環境音を取得音Ｓ１として取得し、取得音情報を生成する。
【００７５】
外部無線通信部２９は、無線通信Ｒを介して、タブレット端末１の端末無線通信部１９、及び、建物Ｂの内部に設置されたインタホン子機（不図示）と通信する。この外部無線通信部２９は、インタホン装置２が取得した情報（たとえば取得音情報）をタブレット端末１又はインタホン子機に送信する送信部として機能する。また、外部無線通信部２９は、制御情報及び外部スピーカ２２用の出力音声の情報などをタブレット端末１又はインタホン子機から受信する受信部としても機能する。
【００７６】
メモリ２６は、不揮発性の記憶媒体であり、外部制御部２７が用いる様々なプログラム及び情報などを格納している。
【００７７】
外部制御部２７は、メモリ２６に格納されたプログラム及び情報、タブレット端末１又はインタホン子機から受信される制御情報などを用いて、インタホン装置２の各構成要素を制御する。たとえば、外部制御部２７は、外部マイクロホン２１から出力される取得音情報を外部無線通信部２９からタブレット端末１に送信させる。また、外部制御部２７は、タブレット端末１又はインタホン子機から受信される情報に基づく音響出力をスピーカ１２に行わせる。
【００７８】
次に、タブレット端末１による音楽Ｓ０の音響認識及び報知処理の一例について説明する。図９は、第２実施形態での音響認識及び報知処理を説明するためのフローチャートである。なお、図９の音響認識及び報知処理は、タブレット端末１の起動（電源のＯＮ）、又は、音響認識及び報知処理用のアプリケーションの起動、若しくは、該処理の開始を示すユーザ入力などによって開始される。また、この処理は、タブレット端末１の起動停止（電源のＯＦＦ）、又は、音響認識及び報知処理用のアプリケーションの終了、若しくは、該処理の終了を示すユーザ入力などによって終了される。
【００７９】
まず、インタホン装置２の周囲の音Ｓ１が外部マイクロホン２１で取得され（ステップＳ２０１）、取得音情報が生成される。この取得音情報は外部無線通信部２９からタブレット端末１に送信される（ステップＳ２０２）。
【００８０】
タブレット端末１の端末無線通信部１９で受信された取得音情報はＣＰＵ１７に出力される。そして、まず、音響識別部１７２により、取得音Ｓ１が人の声を含むか否かが判定される（ステップＳ２０３）。取得音Ｓ１が人の声を含まないと判定されると（ステップＳ２０３でＮＯ）、音響認識及び報知処理はステップＳ１１０に進む。
【００８１】
一方、取得音Ｓ１が人の声を含むと判定されると（ステップＳ２０３でＹＥＳ）、音響抽出部１７３により、人の声の情報が取得音情報から抽出される（ステップＳ２０４）。なお、以下では、人の声の情報を音声情報と呼ぶ。音響検出部１７４により、音声情報の音圧レベルが検出され（ステップＳ２０５）、その音圧レベルが音声閾値以上であるか否かが判定される（ステップＳ２０６）。なお、音声閾値は、たとえば、工場出荷前などで予め設定されていてもよいし、任意の時点でユーザ入力により設定されてもよい。
【００８２】
音声情報の音圧レベルが音声閾値以上であると判定されると（ステップＳ２０６でＹＥＳ）、音響認識及び報知処理は後述のステップＳ２０８に進む。一方、音声情報の音圧レベルが音声閾値未満であると判定されると（ステップＳ２０６でＮＯ）、音響出力制御部１７５は音声情報の音圧レベルを増幅する（ステップＳ２０７）。そして、音響認識及び報知処理はステップＳ２０８に進む。なお、音声情報の増幅率は、たとえば、工場出荷前などで予め設定されていてもよいし、任意の時点でユーザ入力により設定されてもよい。
【００８３】
ステップＳ２０８では、訪問者の存在を示す所定の通知又は画像若しくは動画などがタブレット端末１のＬＣＤ１３に表示され、音声情報に基づく音声（人の声）がタブレット端末１のスピーカ１２から出力される。そして、音響認識及び報知処理はステップＳ１１０に進む。なお、以降のステップＳ１１０〜Ｓ１２３は第１実施形態の音響認識及び報知処理（図４参照）と同様であるため、それらの説明は省略する。
【００８４】
以上、第２実施形態について説明した。上述のように、第２実施形態に係るタブレット端末１は、音響識別部１７２と、音響出力制御部１７５及び表示制御部１７６（報知制御部）と、を備える情報処理装置である。音響識別部１７２は、インタホン装置２の外部マイクロホン２１の取得音Ｓ１に含まれうる音楽Ｓ０（特定音）を識別する。音響出力制御部１７５及び表示制御部１７６はそれぞれ、音楽Ｓ０の変化に基づいて、タブレット端末１のスピーカ１２及びＬＣＤ１３（報知部）に所定の報知動作を行わせる。
【００８５】
こうすれば、インタホン装置２の外部マイクロホン２１の取得音Ｓ１に含まれうる音楽Ｓ０が識別されると、この音楽Ｓ０の変化に基づいて、タブレット端末１で所定の報知動作が行われる。そのため、ユーザの周囲が騒音又は雑音などで騒がしい状況であったり、耳の不自由なユーザであったりしても、所定の報知動作によって、音楽Ｓ０が鳴っていることをユーザに報知することができる。従って、音の聞き分け又は聴き取りが困難な状態にあるユーザに、音楽Ｓ０が鳴っていることをより確実に認識させることができる。
【００８６】
また、第２実施形態に係るタブレット端末１は、外部マイクロホン２１を有するインタホン装置２から取得音情報を受信する端末無線通信部１９をさらに備えている。こうすれば、取得音Ｓ１をインタホン装置２で取得できるため、タブレット端末１から離れた任意の場所（たとえば建物Ｂの屋外）の周囲の環境音を取得音Ｓ１として取得することができる。従って、たとえば、音楽Ｓ０を取得し易い場所にインタホン装置２を設置することにより、音楽Ｓ０が鳴っていることをより正確にユーザに報知することができる。
＜第３実施形態＞
【００８７】
次に、第３実施形態について説明する。第３実施形態では、インタホン装置２が、ユーザが必要とする情報（たとえば、ごみ収集車３００が近くに来ていること）をタブレット端末１に報知させる機能を有する情報処理装置となっている。以下では、第１及び第２実施形態と異なる構成について説明する。また、第１及び第２実施形態と同様の構成要素には同じ符合を付し、その説明を省略する。
【００８８】
インタホン装置２は、自身の周囲の音Ｓ１を取得音として外部マイクロホン２１で取得し、取得音Ｓ１に含まれ得る音楽Ｓ０を特定音として識別する。たとえば、インタホン装置２は、外部マイクロホン２１の取得音Ｓ１のうち、所定の周波数帯域内の音響成分を抽出音としてサンプリングし、その抽出音に音楽Ｓ０が含まれているか否かを判定する。音楽Ｓ０が含まれていると判定した場合、インタホン装置２は、音楽Ｓ０が識別できたと判断し、抽出音から音楽Ｓ０を抽出する。そして、インタホン装置２は、音楽Ｓ０の変化を検出し、その検出結果に基づいて、タブレット端末１に所定の報知動作を行わせるための報知制御情報をタブレット端末１に送信する。タブレット端末１は、インタホン装置２から受信した報知制御情報に基づいて所定の報知動作を行い、ごみ収集車３００が建物Ｂの近くに来ていることをユーザに報知する。
【００８９】
図１０は、第３実施形態に係るタブレット端末及びインタホン装置の構成を示すブロック図である。図１０に示すように、タブレット端末１のＣＰＵ１７は、機能要素として、音響出力制御部１７５と、表示制御部１７６と、を含んで構成されている。
【００９０】
音響出力制御部１７５は、インタホン装置２から送信される報知制御情報に基づいて、たとえば、報知音情報をサーバ装置５００から取得したり、スピーカ１２に所定の音響出力動作を行わせたりする。また、音響出力制御部１７５はスピーカ１２の音量調節も行う。たとえば、音響出力制御部１７５は、報知制御信号に基づいてスピーカ１２の出力音量を経時的に変化させたり、ユーザ入力などに基づいてスピーカ１２の出力音量を調節したりする。
【００９１】
表示制御部１７６は、報知制御情報に基づいて、ＬＣＤ１３に所定の表示を行わせる。また、表示制御部１７６は、報知制御情報に基づいて、ＬＣＤ１３に所定の表示を行わせるための情報をサーバ装置５００から取得することもできる。
【００９２】
また、インタホン装置２は、外部マイクロホン２１、外部スピーカ２２、メモリ２６、外部制御部２７、及び外部無線通信部２９の他に、操作部２４をさらに備えている。
【００９３】
操作部２４は、インタホン装置２側でのユーザ入力を受け付けて、そのユーザ入力に応じた制御情報を外部制御部２７に出力する。
【００９４】
メモリ２６は、外部制御部２７が用いる様々なプログラム及び情報のほか、特定音情報、抽出帯域情報なども格納している。
【００９５】
また、外部制御部２７は、機能要素として、帯域設定部２７１と、音響識別部２７２と、音響抽出部２７３と、音響検出部２７４と、報知制御部２７７と、を含んで構成されている。なお、音響識別部２７２、音響抽出部２７３、及び音響検出部２７４はそれぞれ、第１又は第２実施形態におけるタブレット端末１側の音響識別部１７２、音響抽出部１７３、及び音響検出部１７４と同様に機能するため、その説明は省略する。
【００９６】
帯域設定部２７１は、抽出帯域情報に基づいて、抽出音のサンプリング周波数帯域を設定する。また、帯域設定部２７１は、ユーザ入力に基づいて、サンプリング周波数帯域が設定される抽出帯域情報を生成又は編集することもできる。なお、このユーザ入力は、タブレット端末１の入力部１４で受け付けられてもよいし、インタホン装置２の操作部２４で受け付けられてもよい。
【００９７】
報知制御部２７７は、音響検出部２７４で検出される音楽Ｓ０の変化に基づいて、タブレット端末１に報知制御情報を送信して所定の報知動作を行わせる。
【００９８】
以上、第３実施形態について説明した。上述のように、第３実施形態に係るインタホン装置２は、音響識別部２７２と、報知制御部２７７と、を備える情報処理装置である。音響識別部２７２は、外部マイクロホン２１の取得音Ｓ１に含まれうる音楽Ｓ０（特定音）を識別する。また、報知制御部２７７は、音楽Ｓ０の変化に基づいて、タブレット端末１のスピーカ１２及びＬＣＤ１３（報知部）に所定の報知動作を行わせる。
【００９９】
こうすれば、インタホン装置２の外部マイクロホン２１の取得音Ｓ１に含まれうる音楽Ｓ０が識別されると、この音楽Ｓ０の変化に基づいて、タブレット端末１で所定の報知動作が行われる。そのため、ユーザの周囲が騒音又は雑音などで騒がしい状況であったり、耳の不自由なユーザであったりしても、所定の報知動作によって、音楽Ｓ０が鳴っていることをユーザに報知することができる。従って、音の聞き分け又は聴き取りが困難な状態にあるユーザに、音楽Ｓ０が鳴っていることをより確実に認識させることができる。
【０１００】
以上、本発明の実施形態について説明した。なお、上述の各実施形態は例示であり、その各構成要素や各処理の組み合わせに色々な変形が可能であり、本発明の範囲にあることは当業者に理解されるところである。
【０１０１】
たとえば、上述の第１〜第３実施形態では、抽出音のサンプリング周波数帯域を抽出帯域情報に設定し、抽出音を用いて音楽Ｓ０の識別及び抽出を行っているが、本発明の適用範囲はこの例示に限定されない。マイクロホン１１又は外部マイクロホン２１の周波数感度（すなわち取得音Ｓ１のサンプリング周波数帯域）が可変な構成であれば、マイクロホン１１又は外部マイクロホン２１の周波数感度を抽出帯域情報に設定してもよい。この場合、音楽Ｓ０の識別及び抽出は、サンプリング周波数帯域内の取得音Ｓ１を用いて行われる。このような構成としては、たとえば、マイクロホン１１又は外部マイクロホン２１が、抽出帯域情報に応じて通過周波数帯域を調節可能なバンドパスフィルターを有する構成などを例示することができる。こうすれば、ユーザは、音楽Ｓ０の識別及び抽出を行うための取得音Ｓ１のサンプリング周波数帯域を任意に設定することができる。従って、たとえば、音楽Ｓ０の主要な周波数帯域に応じて、取得音Ｓ１のサンプリング周波数帯域を設定することもできるので、音楽Ｓ０とは無関係な周波数帯域の音を除去した取得音Ｓ１に基づいて音楽Ｓ０を識別及び抽出を行うことができる。よって、音楽Ｓ０の識別精度をさらに向上させたり、音楽Ｓ０の識別及び抽出処理に伴う負荷をさらに軽減したりすることができる。
【０１０２】
また、上述の第１〜第３実施形態では、特定音Ｓ０の音圧レベルの変化をトリガーにして、音楽Ｓ０の音響認識処理とタブレット端末１での報知処理とを行っているが、本発明の適用範囲はこの例示に限定されない。このトリガーは、特定音Ｓ０の周波数特性の変化であってもよい。たとえば、ごみ収集車３００（特定音Ｓ０の音源）が移動すると、取得音Ｓ１に含まれる特定音Ｓ０の周波数特性はドップラー効果によって変化する。従って、特定音Ｓ０の周波数特性の変化に基づいて、タブレット端末１のスピーカ１２及びＬＣＤ１３（報知部）に所定の報知動作を行わせてもよい。
【０１０３】
また、第１〜第３実施形態のＣＰＵ１７及び第３実施形態の外部制御部２７の各機能要素のうちの少なくとも一部は物理的な構成要素（たとえば電気回路、装置など）で実現されていてもよい。
【０１０４】
また、上述の第２〜第３実施形態では、タブレット端末１とインタホン装置２との通信媒体に無線通信Ｒを用いているが、本発明の適用範囲はこの例示に限定されない。通信媒体には有線ＬＡＮなどの有線通信手段を用いてもよい。
【０１０５】
また、上述の第１〜第３実施形態では、特定音Ｓ０の音源が予め定まっているが、本発明の適用範囲はこの例示に限定されない。この音源は、たとえば、建物Ｂに近づいてくる不特定の物体（車などの乗り物、人、動物など）であってもよい。この場合、取得音Ｓ１に含まれる音のうち、音圧レベルが所定の音圧閾値以上、且つ、音圧レベルの経時的な変化率が正数の第１閾値以上となる音を特定音Ｓ０と認識すればよい。こうすれば、特定音Ｓ０の変化により、建物Ｂに近づく物体を識別し、その相対的な位置及び移動状態をユーザに報知することができる。この構成は、建物Ｂのセキュリティ管理などに有用である。
【符号の説明】
【０１０６】
１      タブレット端末
１１      マイクロホン
１２      スピーカ
１３      ＬＣＤ（液晶ディスプレイ）
１４      入力部
１５      ネットワークＩ／Ｆ
１６      記憶部
１７      ＣＰＵ
１７１      帯域設定部
１７２      音響識別部
１７３      音響抽出部
１７４      音響検出部
１７５      音響出力制御部
１７６      表示制御部
１８      タイマ
１９      端末無線通信部
２      インタホン
２１      外部マイクロホン
２２      外部スピーカ
２４      操作部
２６      メモリ
２７      外部制御部
２７１      帯域設定部
２７２      音響識別部
２７３      音響抽出部
２７４      音響検出部
２７７      報知制御部
２９      外部無線通信部
３００  ゴミ収集車
４００  ネットワーク
５００  サーバ装置
【図１】
2015087446.tif 000003
【図２】
2015087446.tif 000004
【図３】
2015087446.tif 000005
【図４】
2015087446.tif 000006
【図５】
2015087446.tif 000007
【図６】
2015087446.tif 000008
【図７】
2015087446.tif 000009
【図８】
2015087446.tif 000010
【図９】
2015087446.tif 000011
【図１０】
2015087446.tif 000012